(57)【要約】【課題】  イオン交換樹脂等の要メンテナンス部品の交換を、燃料電池の発電運転を停止させることなく、つまり発電を継続させながら行い得る燃料電池システムを提供する。【解決手段】  外筒容器１１と、内部にイオン交換樹脂Ｐが充填されて外筒容器１１内に着脱可能に内挿された内筒容器１２とで構成する。導入口１１２からの凝縮水は隙間Ｓ及び第１連通孔１２３から内筒容器１２内に入り、処理済みの処理水が第２連通孔１２４及び排出口１１１から排出される。仕切部１２１で隙間Ｓの上下を仕切る。頭部１２５を回転させてネジを外して内筒容器１２を外筒容器１１から引き抜き、新たな交換用の内筒容器１２を外筒容器１１内に内挿すれば、イオン交換樹脂の交換が完了する。凝縮水は外筒容器内に一時貯留される。【選択図】      図３
2012155979.tif 000002
【特許請求の範囲】
【請求項１】
原燃料を水蒸気改質により水素リッチな燃料ガスに改質し、その燃料ガスを発電部のアノードに供給する一方、酸素含有ガスを発電部のカソードに供給して発電を行うように構成され、前記発電部から排出される排ガスから回収した凝縮水を水処理手段により処理した上で、前記水蒸気改質に使用する水として利用するように構成されている燃料電池システムであって、
前記水処理手段は、凝縮水が導入される導入口及び処理済みの水が排出される排出口を有する有底で上端が開口された外筒容器と、内部に処理剤が充填されて前記外筒容器の内部空間に対し上端の開口から着脱可能に挿入されて前記外筒容器に対し一体に組み付けられる内筒容器とを備え、
前記内筒容器は、前記外筒容器に対し一体に組み付けられた状態で、前記導入口から導入される凝縮水を内部の処理剤に導く第１連通孔と、その処理剤により処理された後の処理水を前記排出口に導く第２連通孔とを備えている
ことを特徴とする燃料電池システム。
【請求項２】
請求項１に記載の燃料電池システムであって、
前記外筒容器に対し導入口は排出口よりも下方位置に形成され、
前記内筒容器は、前記外筒容器に対し一体に組み付けられた状態で、前記外筒容器の内面との間に隙間が形成される形状に設定されると共に、前記導入口と排出口との間の上下方向中間位置で外周側に突出して前記隙間を前記導入口側と排出口側との間で仕切る仕切部を備えている、燃料電池システム。
【請求項３】
請求項１又は請求項２に記載の燃料電池システムであって、
前記外筒容器は、前記処理剤により処理された後の処理水を貯留する貯留タンクと合成樹脂成形により一体に形成されている、燃料電池システム。
【発明の詳細な説明】
【技術分野】
【０００１】
本発明は、燃料電池システムに関し、特にイオン交換樹脂等の定期的に交換する必要がある要メンテナンス部品の交換を、発電を停止させることなく発電を継続させながら行い得るようにした燃料電池システムに係る。
【背景技術】
【０００２】
従来、例えば特許文献１では、筐体の中央下部に設置した改質器の左側面後方位置にイオン交換樹脂を配設し、前記筐体の左側面板を取り外し可能とすることで、イオン交換樹脂の交換を容易にし得るようにすることが提案されている。
【０００３】
又、例えば特許文献２では、脱硫器やイオン交換樹脂を据付台の上に載置し、据付台を垂直軸回りに揺動回転させることで、筐体内から外部に引き出して脱硫器やイオン交換樹脂の交換作業を容易にすることが提案されている。
【先行技術文献】
【特許文献】
【０００４】
【特許文献１】特開２００５−２５１４９３号公報
【特許文献２】特開２００９−２３０９０８号公報
【発明の概要】
【発明が解決しようとする課題】
【０００５】
ところで、イオン交換樹脂を交換するには、例えば図８に示すように、イオン交換樹脂１００が充填されている容器１０１を、その上下流側の接続部位１０２，１０３で取り外し、新しいイオン交換樹脂１０４が充填されている容器１０５を代わりに取り付けることが行われる。この場合、配管の途中を開放することになるため、燃料電池システムの発電運転を停止させた上で、交換等のメンテナンスが行われることになる。
【０００６】
しかしながら、前記のイオン交換樹脂等の要メンテナンス部品の交換の度に燃料電池システムによる発電運転を停止せざるを得ないとなると、実際に要する交換時間（例えば３０分）以上に、発電運転停止のために、あるいは、交換後の発電運転再開（起動）のために要する時間（例えば１日間）は長期に亘り、その停止・起動に消費される手間やエネルギーの損失は多大なものとなる。その上に、発電運転の停止から再開までの間は発電不能となって発電効率の低下を招くことにもなる。特に、固体酸化物形燃料電池（ＳＯＦＣ；Solid Oxide Fuel Cells）においては、高温環境下での運転状態から停止のために冷却処理したり、停止状態から起動のために加熱処理したりするのにかなりの時間を要し、上記の損失や低下は他のタイプの燃料電池よりも大幅に増大することになる。
【０００７】
本発明は、このような事情に鑑みてなされたものであり、その目的とするところは、イオン交換樹脂等の要メンテナンス部品の交換を、燃料電池の発電運転を停止させることなく、つまり発電を継続させながら行い得る燃料電池システムを提供することにある。
【課題を解決するための手段】
【０００８】
上記目的を達成するために、本発明では、原燃料を水蒸気改質により水素リッチな燃料ガスに改質し、その燃料ガスを発電部のアノードに供給する一方、酸素含有ガスを発電部のカソードに供給して発電を行うように構成され、前記発電部から排出される排ガスから回収した凝縮水を水処理手段により処理した上で、前記水蒸気改質に使用する水として利用するように構成されている燃料電池システムを対象にして、次の特定事項を備えることとした。すなわち、前記水処理手段として、凝縮水が導入される導入口及び処理済みの水が排出される排出口を有する有底で上端が開口された外筒容器と、内部に処理剤が充填されて前記外筒容器の内部空間に対し上端の開口から着脱可能に挿入されて前記外筒容器に対し一体に組み付けられる内筒容器とを備えたもとする。そして、前記内筒容器として、前記外筒容器に対し一体に組み付けられた状態で、前記導入口から導入される凝縮水を内部の処理剤に導く第１連通孔と、その処理剤により処理された後の処理水を前記排出口に導く第２連通孔とを備える構成とした（請求項１）。
【０００９】
本発明によれば、水処理手段の処理剤（例えばイオン交換樹脂）の交換時期が到来すれば、内筒容器を外筒容器から外して上方に抜き出し、抜き出した内筒容器の代わりに交換用の新しい内筒容器を外筒容器の上端の開口から挿入して外筒容器に一体に組み付ければ、処理剤の新・旧の交換作業が完了する。この交換作業の際、内筒容器を外筒容器から抜き出せば、その分、外筒容器の内部空間は拡大するため、導入口から流入してくる凝縮水を一時貯留することが可能となり、これにより、発電運転を継続したまま、つまり、発電部からの排ガスから凝縮水の回収を継続させたまま、水処理手段における処理剤の交換を行うことが可能となる。
【００１０】
前記発明において、前記外筒容器に対し導入口を排出口よりも下方位置に形成し、前記内筒容器として、前記外筒容器に対し一体に組み付けられた状態で、前記外筒容器の内面との間に隙間が形成される形状に設定すると共に、前記導入口と排出口との間の上下方向中間位置で外周側に突出して前記隙間を前記導入口側と排出口側との間で仕切る仕切部を備える構成することができる（請求項２）。このようにすることで、前記導入口から導入される凝縮水を内部の処理剤に導く第１連通孔と、前記導入口とを前記隙間を通して連通させることができる一方、処理剤により処理されて第２連通孔から排出口に導かれる処理水と、前記隙間に導入される処理前の凝縮水とを前記仕切部により互いに仕切ることが可能となる。
【００１１】
又、前記外筒容器として、前記処理剤により処理された後の処理水を貯留する貯留タンクと合成樹脂成形により一体に形成するようにすることができる（請求項３）。このようにすることで、外筒容器の排出口から排出される処理水を貯留タンクまで導く配管の省略化などが可能となり、水処理手段や貯留タンクを収容するケースのコンパクト化が図られる。
【発明の効果】
【００１２】
以上、説明したように、本発明の燃料電池システムによれば、内筒容器を外筒容器から外して上方に抜き出し、抜き出した内筒容器の代わりに交換用の新しい内筒容器を外筒容器の上端の開口から挿入して外筒容器に一体に組み付ければ、処理剤の新・旧の交換作業を容易かつ迅速に完了させることができる。しかも、この交換作業の際、内筒容器を抜き出した後の外筒容器内に凝縮水を一時貯留することができ、これにより、発電運転を継続したまま、つまり、発電部からの排ガスから凝縮水の回収を継続させたまま、水処理手段における処理剤の交換を行うことができるようになる。以上により、水処理手段の処理剤の交換のために従来要していた手間やエネルギーの損失の発生を回避することができる上に、発電継続により発電効率の向上を図ることができる。
【００１３】
特に請求項２によれば、本発明の構成を具体化して作用効果をより確実に得ることができる。又、請求項３によれば、外筒容器の排出口から排出される処理水を貯留タンクまで導く配管を省略することができ、水処理手段や貯留タンクを収容するケースのコンパクト化を図ることができる。
【図面の簡単な説明】
【００１４】
【図１】本発明を適用する燃料電池システムの例を示す模式図である。
【図２】図１中の水供給手段について第１実施形態の配置を示す拡大説明図である。
【図３】図２のイオン交換樹脂セットの拡大断面説明図である。
【図４】図３のイオン交換樹脂セットの交換手順を示す分解説明図である。
【図５】第１実施形態に属する他の形態を示す図３対応図である。
【図６】図５とは異なる第１実施形態に属する他の形態を示す図３対応図である。
【図７】図１中の水供給手段について第２実施形態の配置を示す拡大説明図である。
【図８】本発明の課題を示すためにイオン交換樹脂の交換状況の例を示す説明図である。
【発明を実施するための形態】
【００１５】
以下、本発明の実施形態を図面に基づいて説明する。
【００１６】
図１は、本発明の実施形態が適用される燃料電池システムとして固体酸化物型燃料電池（ＳＯＦＣ；Solid Oxide Fuel Cells）を用いた例を示す。図中の符号４は発電部（発電モジュール）であり、この発電部４はセルスタック４１と、改質器４２と、空気用熱交換器４３とを備えている。この発電部４に対する燃料ガス・空気・水蒸気等の供給及び排ガスの排出は、いずれも予熱・蒸発器５を通して行われるようになっている。この予熱・蒸発器５に対し燃料ガス回路６、改質用空気供給回路７及びカソード空気供給回路８が通される一方、予熱用の熱源として発電部４の側から排ガスが導入され、その後に水供給処理回路９に導出され、排ガス中の水分回収により得た純水が予熱・蒸発器５内の燃料ガス回路６に戻されて水蒸気改質用の水蒸気に変換されるようになっている。
【００１７】
上記セルスタック４１は、例えば複数のセルが所定間隔ずつ隔てた状態で立設されて構成されており、各セルは例えば小径円筒形状のアノード(燃料極)と、この外周側を覆う大径円筒形状のカソード(空気極)とが間に電解質を挟んだ状態で同心円状に一体化されたものである。アノードや、カソードはいずれもＮｉ等の金属酸化物を含有するセラミックスにより形成されたものであり、電解質は例えばＹＳＺ（イットリウム安定化ジルコニア）等の固体酸化物により形成されたものである。
【００１８】
セルのアノードの内孔に対し改質器４２から水蒸気改質により原燃料の燃料ガスよりも水素リッチとされた燃料ガスが下端から上端に向けて流され、又、カソードの外周面に空気用熱交換器４３から酸素含有ガスとしてのカソード空気が供給されるようになっている。カソードではカソード空気の酸素が酸素イオンとなって電解質を通り、アノードでは燃料ガスの水素と反応して水（水蒸気）を生成する一方、その際に生じた電子が回路を通してカソード側に移動して酸素を再びイオン化するということを繰り返して発電される。アノードの内孔に供給された燃料ガスは上記反応に利用された後、オフガスとして改質器バーナに導かれて燃焼用の燃料として利用されるようになっている。又、カソード空気は上方に排気され、改質器バーナからの燃焼排ガスと共に、排ガスとして予熱・蒸発器５に送られるようになっている。その際、上記排ガスは空気を加熱するための熱源として空気用熱交換器４３を通過するようになっている。
【００１９】
燃料ガス回路６には、元ガス電磁弁やガバナ等からなる調整弁６１と、バッファータンク６２、ガス流量センサ６３、脱硫器６４及び逆止弁６５等とが介装され、予熱・蒸発器５に入る前に改質用空気供給回路７が合流するようになっている。改質用空気供給回路７には、図示省略のフィルタを通した大気を吸い込んで送給する改質用空気ブロワ７１と、バッファータンク７２と、改質空気用流量センサ７３及び逆止弁７４等とが介装されている。そして、改質用空気供給回路７が合流された燃料ガス回路６には、予熱・蒸発器５内において、水供給処理回路９から純水が供給され、この純水が予熱・蒸発器５において水蒸気に蒸発した状態で改質器４２に送られるようになっている。カソード空気供給回路８には、改質用空気供給回路７と同様に、図示省略のフィルタを通した大気を吸い込んで酸素含有ガスとして送給するカソード空気ブロワ８１と、バッファータンク８２及びカソード空気用流量センサ８３等とが介装されている。
【００２０】
排熱回収用熱交換器９１においては、図外の貯湯ユニットから循環供給される循環水を冷却水として、予熱・蒸発器５を通過した後の排ガスと熱交換させることで、排熱回収して貯湯すると共に、排ガスに含まれる水分を凝縮させて水回収するようになっている。水供給処理回路９は、排熱回収用熱交換器９１で発生した凝縮水（ドレン水）をドレン回収部９２で集水し、集水された凝縮水の精製及び精製後の純水の貯留、並びに、貯留した純水を水蒸気として再利用すべく上記予熱・蒸発器５への供給をそれぞれ行う回路である。図１に示す水供給処理回路９は例示であり、この図例の水供給処理回路９には、集水された凝縮水に対し純水に精製するための精製処理を行うイオン交換樹脂セット９３と、精製後の純水を貯留する純水タンク９４と、純水タンク９４の純水を取水して予熱・蒸発器５側に一定の小流量（例えば１０ｍＬ／ｍｉｎ以下の流量）で供給するための純水ポンプ９５と、その際の純水流量を検出する純水流量センサ９６と、逆止弁９７とが上流側から順に介装されている。この水供給処理回路９から予熱・蒸発器５に供給された純水は予熱・蒸発器５で蒸発されて水蒸気になって改質器４２及び発電部４のアノード側に供給されることになる。
【００２１】
＜第１実施形態＞
以下、本実施形態の特徴部分である水供給処理回路９について詳細に説明する。すなわち、水供給処理回路９は、図２に例示するように、水処理手段としてのイオン交換樹脂セット９３、純水タンク９４、純水ポンプ９５、純水流量センサ９６、及び、逆止弁９７が、ケース９８内に配設・収容されて構成されている。前記のケース９８は、図２の右側が後側、左側が前側とされ、前側には前面蓋９８１が着脱可能に結合されている。そして、ケース９８内の奥側に純水タンク９４が設置され、その前側であって前面蓋９８１の内面に臨む位置にイオン交換樹脂セット９３が配設されており、前面蓋９８１を取り外せば、イオン交換樹脂セット９３の交換作業が前面側から容易に行い得るようになっている。
【００２２】
イオン交換樹脂セット９３は、図３に詳細を示すように、有底で上方に開口した収容容器としての外筒容器１１と、この外筒容器１１内に上から軸Ｘに対し同軸に内挿された状態で外筒容器１１に保持される内筒容器１２とからなる。外筒容器１１には排出口１１１が上方位置に、導入口１１２が排出口１１１よりも下方位置に、それぞれ開口されている。内筒容器１２は外筒容器１１の内径よりも所定寸法だけ小径の外径を有する有底の円筒容器であり、後述の固定状態で前記の排出口１１１と導入口１１２との間の上下方向中間位置、好ましくは排出口１１１の直下位置には、外周側に鍔状に突出する仕切部１２１が一体に形成されている。そして、外筒容器１１の上端開口１１３の例えば内周面側にネジ部１１４が形成され、内筒容器１２の外周面に形成されたネジ部１２２と螺合させて締結することで、内筒容器１２と外筒容器１１とが互いに一体に固定されるようになっている。この固定状態（図３に示す状態）では、内筒容器１２の外周面と外筒容器１１の内周面との間、及び、内筒容器１２の外底面と外筒容器１１の内底面との間にそれぞれ所定の隙間Ｓが形成されるようになっている。この隙間Ｓが、前記仕切部１２１の外周側に嵌め込まれた例えばＯリング１２１ａにより水密にシールされた状態で、上下両側、つまり排出口１１１側と導入口１１２側とに仕切られた状態になる。
【００２３】
内筒容器１２内の底壁には１つ以上の第１連通孔１２３が貫通形成され、仕切部１２１よりも上側の周壁にも１つ以上の第２連通孔１２４，１２４，…が貫通形成され、内部空間にはイオン交換樹脂Ｐが頭部１２５側から充填されて封入されている。このイオン交換樹脂Ｐが充填された状態で内筒容器１２がユニット化されており、このユニット化された内筒容器１２を新しいものに交換することで、イオン交換樹脂セット９３におけるイオン交換樹脂Ｐが新しいものに更新されることになる。
【００２４】
前記の導入口１１２には排熱回収用熱交換器９１のドレン回収部９２により集水された凝縮水を導入する導入管１３が接続され、排出口１１１にはイオン交換樹脂Ｐにより精製処理された水を純水タンク９４に供給する供給管１４が接続されている。そして、前記導入管１３により導入される小流量の凝縮水が導入口１１２から隙間Ｓに入り、隙間Ｓ及び第１連通孔１２３を通して内筒容器１２内に流入し、内筒容器１２内を上側の第２連通孔１２４，１２４，…に向けて移動する間にイオン交換樹脂Ｐにより精製され、精製処理された水が各第２連通孔１２４及び排出口１１１を通して供給管１４に導出されることになる。
【００２５】
燃料電池システムによる発電運転が所定期間（例えば数年間）経過すれば、前記のイオン交換樹脂Ｐの交換時期が到来するため、交換することになる。この交換作業は、前述の如く前面蓋９８１を取り外した上で、頭部１２５を捻ることで内筒容器１２を外筒容器１１から外して上方に抜き出し、この内筒容器１２（図４の左側に図示のもの参照）の代わりに交換用の新しい内筒容器１２（図４の右側に図示のもの参照）を外筒容器１１の上端開口１１３から内方に差し入れ、仕切部１２１のＯリング１２１ａを外筒容器１１の内周面に沿って摺動させることで内筒容器１２を下方に押し込み、ネジ部１１４に対しネジ部１２２をねじ込んで締結させる。これにより、新しいイオン交換樹脂Ｐへの新・旧の交換作業が完了する。
【００２６】
前記の交換作業の際、旧の内筒容器１２を外筒容器１１内から抜き出せば、その分、外筒容器１１の内部空間１１５は大幅に拡大する。このため、内筒容器１２の交換作業時間（例えば１〜２分間）の間に導入管１３から流入してくる凝縮水を一時貯留するための貯留空間として、内部空間１１５を用いることができるようになる。凝縮水は例えば１０ｍＬ／分というように外筒容器１１の内部空間１１５に比して極めて小流量であるため、前記の交換時間内に流入してくる凝縮水によって水位が排出口１１１まで上昇することはないといえる。これにより、発電運転を継続したまま、つまり、排熱回収用熱交換器９１で発生する凝縮水が導入管１３を通して流れてくる状態を維持したまま、イオン交換樹脂Ｐの交換を行うことができることになる。
【００２７】
図５には、前記のイオン交換樹脂セット９３とは異なる形態のイオン交換樹脂セット９３ａを示している。この形態は、前記の隙間Ｓ（図３参照）の存在が必須のものではなく、なくてもよいことを示すものである。従って、図５には外筒容器１１ａとして図３の外筒容器１１と同じサイズ、内筒容器１２ａとして図３の内筒容器１２より大径サイズのものをそれぞれ図示しているが、これに特定されるものではない。要するに、内筒容器１２ａとしては、その外面形状が外筒容器１１の内面形状とほぼ同形状のもので構成するようにしてもよいことを示すものである。なお、以下の説明では、図３のものと同じ構成のものについては図３のものと同じ符号を付して重複した説明を省略する。
【００２８】
この形態では、導入口１１２ａが外筒容器１１ａの底壁部に貫通形成され、内筒容器１２ａを外筒容器１１ａ内に上から下に内底面まで押し入れることで、内筒容器１２ａの第１連通孔１２３が導入孔１１２ａに臨んで位置するようになっている。この際、第１連通孔１２３の周囲、あるいは、導入孔１１２ａの周囲に設けたＯリング（シールリング）１２３ａにより、第１連通孔１２３及び導入孔１１２ａを互いに連通させた状態にシールしている。この図５に示す形態の場合にも、図３に示したものと同様の作用効果を得ることができる。
【００２９】
さらに、図６では外筒容器と純水タンクとを一体にしたものを示している。すなわち、例えば図３に示した外筒容器１１と同様構成の外筒容器部１１ｂと、純水タンク９４と同様構成の純水タンク部９４ａとを例えば合成樹脂成形により一体形成し、この外筒容器部１１ｂに対し図３に示したものと同様構成の内筒容器１２を交換可能に内挿させて保持させるようにしたものである。このようなイオン交換樹脂セット９３ｂとすることで、供給管１４やその接続部分を省略してケース９８内への収容・配置をよりコンパクトに行うことができるようになる。
【００３０】
＜第２実施形態＞
図７に基づき第２実施形態の水供給処理回路９ａについて詳細に説明する。この水供給処理回路９ａは、排熱回収用熱交換器９１及びドレン回収部９２から凝縮水を導入する導入管１３ａに対し三方切換弁１５を介装し、ドレン回収部９２からの凝縮水をイオン交換樹脂セット９３ｃの導入口１１２に流したり、あるいは、純水タンク９４のオーバーフロー管１６に流したりと切換可能としたものである。併せて、イオン交換樹脂セット９３ｃの排出口１１１から純水タンク９４に精製済みの水を供給するための供給管１４に開閉切換弁１７を介装させたものである。ここで、イオン交換樹脂セット９３ｃとしては、前述のイオン交換樹脂セット９３，９３ａ，９３ｂのいずれを用いてもよい。なお、イオン交換樹脂セット９３ｂを用いる場合には、排出口１１１に対しシャッター弁等の開閉切換弁を設けるようにすればよい。
【００３１】
この第２実施形態の場合には、イオン交換樹脂セット９３ｃのイオン交換樹脂の交換作業を行う間は、三方切換弁１５を切換えて凝縮水をオーバーフロー管１６の側に流すようにし、あるいは、このような三方切換弁１５の切換と共に開閉切換弁１７を開から閉に切換するようにする。これにより、発電運転を停止させずに継続させた状態で交換作業を行う場合であっても、排熱回収用熱交換器９１で発生する凝縮水がたとえ一時的に大量となり、大流量で導入管１３ａに流れることになったとしても、三方切換弁１５の切換によってオーバーフロー管１６の側に流すことができ、その間にイオン交換樹脂の交換作業を行うことができるようになる。なお、開閉切換弁１７の閉切換によって、純水タンク９４側からの凝縮水の戻りを確実に防止することができる。
【００３２】
＜他の実施形態＞
なお、本発明は上記第１及び第２実施形態に限定されるものではなく、その他種々の実施形態を包含するものである。すなわち、上記第１及び第２実施形態では、ＳＯＦＣを用いて燃料電池システムを構成した例を示したが、純水精製用のイオン交換樹脂が充填されたイオン交換樹脂セット（水処理手段）等を備える燃料電池システムであれば、本発明を適用することができ、本発明に含まれる。又、イオン交換樹脂に限らず、水処理用の処理剤が充填された要メンテナンス部品としての水処理手段を備える燃料電池システムであれば、本発明を適用することができ、本発明に含まれる。
【００３３】
前記の第１実施形態等では外筒容器１１，１１ａ，１１ｂや、内筒容器１２，１２ａを円筒形状のもので構成したが、これに限らず、内筒容器が外筒容器に対し着脱可能であればよく、外筒容器や内筒容器を角筒状や異形筒状のもので構成してもよい。
【００３４】
前記の各実施形態では内筒容器１２，１２ａと、外筒容器１１，１１ａ，１１ｂとの固定をネジ部１１４，１２２のネジ締結による固定手段によって行うようにしているが、これに限らず、係止、係合、仮止め等の他の固定手段を用いて行うようにしてもよい。
【符号の説明】
【００３５】
４                    発電部
１１，１１ａ，１１ｂ  外筒容器
１２，１２ａ          内筒容器
９３，９３ａ，９３ｂ，９３ｃ  イオン交換樹脂セット（水処理手段）
９４                  純水タンク（貯留タンク）
１１１                排出口
１１２，１１２ａ      導入口
１２１                仕切部
１２３，１２３ａ      第１連通孔
１２４                第２連通孔
Ｐ          イオン交換樹脂（処理剤）
Ｓ          隙間
【図１】
2012155979.tif 000003
【図２】
2012155979.tif 000004
【図３】
2012155979.tif 000005
【図４】
2012155979.tif 000006
【図５】
2012155979.tif 000007
【図６】
2012155979.tif 000008
【図７】
2012155979.tif 000009
【図８】
2012155979.tif 000010